(57)【要約】【課題】ＲＦＩＤインレット６を物品への貼付け平面から立体的に浮かして、交信電波が金属や水などからの影響を受けにくくし、データの読取りおよび書込み精度を維持することができるＲＦＩＤラベルおよびその貼付け方法を提供することを課題とする。【解決手段】インレット保持部５を貼り付ける際に、互いに対向する端部の物品への相対的な貼付け位置を工夫し、ＲＦＩＤインレット６の部分を貼付け平面から立体的に浮き立たせることに着目し、ＲＦＩＤインレット６を保持するインレット保持部５に、第１の貼付け固定部９と、第１の貼付け固定部９に対向する第２の貼付け固定部１０とをその間に第１の間隔Ｄ１をあけて設け、第１の貼付け固定部９および第２の貼付け固定部１０を、第１の間隔Ｄ１より短い第２の間隔をあけて所定の物品に貼り付けて、インレット保持部５を、物品におけるその貼付け平面から離間して浮き立たせ可能としたことを特徴とする。【選択図】図１
2007264868.tif 000002
【特許請求の範囲】
【請求項１】
アンテナおよびＩＣチップを有するＲＦＩＤインレットを備えたラベル本体を有するＲＦＩＤラベルであって、
前記ラベル本体は、前記ＲＦＩＤインレットを保持するインレット保持部を有し、
このインレット保持部の互いに対向する側端部に、
第１の貼付け固定部と、この第１の貼付け固定部に対向する第２の貼付け固定部と、をその間に第１の間隔をあけて設け、
これらの第１の貼付け固定部および前記第２の貼付け固定部を、前記第１の間隔より短い第２の間隔をあけて所定の物品に貼り付けて、前記インレット保持部を、この物品におけるその貼付け平面から離間して浮き立たせ可能としたことを特徴とするＲＦＩＤラベル。
【請求項２】
アンテナおよびＩＣチップを有するＲＦＩＤインレットを備えたラベル本体を有するＲＦＩＤラベルであって、
前記ラベル本体は、
前記ＲＦＩＤインレットを保持するインレット保持部と、
このインレット保持部に境界線を介して隣り合うとともに、所定の物品に貼り付け可能な印字表示部と、
を有し、
このインレット保持部は、
この印字表示部と接続部を介して接続している第１の貼付け固定部と、
この第１の貼付け固定部に対向する第２の貼付け固定部と、
を有し、
前記インレット保持部を前記印字表示部の貼付け平面から離間して浮き立たせ可能に、前記第１の貼付け固定部および前記第２の貼付け固定部を貼り付け可能としたことを特徴とするＲＦＩＤラベル。
【請求項３】
前記インレット保持部は、これを曲面状に浮き立たせ可能とすることを特徴とする請求項１あるいは２記載のＲＦＩＤラベル。
【請求項４】
前記インレット保持部は、これを少なくともひとつの折曲げ部をもって断面折曲げ形状に浮き立たせ可能とすることを特徴とする請求項１あるいは２記載のＲＦＩＤラベル。
【請求項５】
前記第２の貼付け固定部は、
前記印字表示部に点止め部を介して接続しているとともに、
この点止め部を切り離すことにより、前記印字表示部からこれを自由端部とすることを特徴とする請求項２記載のＲＦＩＤラベル。
【請求項６】
前記ラベル本体は、
その裏面に剥離紙を仮着してあるとともに、
前記第１の貼付け固定部および前記第２の貼付け固定部におけるこの剥離紙を取り除き可能としてあることを特徴とする請求項１あるいは２記載のＲＦＩＤラベル。
【請求項７】
前記ラベル本体は、
その裏面に剥離紙を仮着してあるとともに、
前記ラベル本体における前記印字表示部には、これをこの剥離紙から剥離可能に半抜き切込み線を形成し、
前記インレット保持部および前記第２の貼付け固定部は、前記ラベル本体とともにこの剥離紙を切り取り可能な全抜き切込み線を形成してあることを特徴とする請求項２記載のＲＦＩＤラベル。
【請求項８】
アンテナおよびＩＣチップを有するＲＦＩＤインレットを備えたラベル本体を有するＲＦＩＤラベルの貼付け方法であって、
前記ラベル本体は、前記ＲＦＩＤインレットを保持するインレット保持部を有し、
このインレット保持部の互いに対向する側端部に、
第１の貼付け固定部と、この第１の貼付け固定部に対向する第２の貼付け固定部と、をその間に第１の間隔をあけて設けてあり、
これらの第１の貼付け固定部および前記第２の貼付け固定部を、前記第１の間隔より短い第２の間隔をあけて所定の物品に貼り付けるとともに、
前記インレット保持部を、この物品におけるその貼付け平面から離間して浮き立たせることを特徴とするＲＦＩＤラベルの貼付け方法。
【請求項９】
アンテナおよびＩＣチップを有するＲＦＩＤインレットを備えたラベル本体を有するＲＦＩＤラベルの貼付け方法であって、
前記ラベル本体は、
前記ＲＦＩＤインレットを保持するインレット保持部と、
このインレット保持部に境界線を介して隣り合うとともに、所定の物品に貼り付け可能な印字表示部と、
を有し、
このインレット保持部は、
この印字表示部と接続部を介して接続している第１の貼付け固定部と、
この第１の貼付け固定部に対向する第２の貼付け固定部と、
を有しており、
前記インレット保持部を前記印字表示部の貼付け平面から離間して浮き立たせ可能に、前記第１の貼付け固定部および前記第２の貼付け固定部を貼り付けることを特徴とするＲＦＩＤラベルの貼付け方法。
【発明の詳細な説明】
【技術分野】
【０００１】
本発明はＲＦＩＤラベルおよびその貼付け方法にかかるもので、とくにＲＦＩＤ（Ｒａｄｉｏ  Ｆｒｅｑｕｅｎｃｙ  Ｉｄｅｎｔｉｆｉｃａｔｉｏｎ）技術による、非接触で情報の読取りや読書きを行うためのＲＦＩＤラベルおよびその貼付け方法に関するものである。
【背景技術】
【０００２】
ＲＦＩＤラベルは、アンテナおよびＩＣチップを有するＲＦＩＤインレットを備えたラベル本体を有するもので、このＲＦＩＤラベルは、データ読取り書込み装置（リーダーライター、図示せず）からの電波の発信を受けて、ＩＣチップからのデータの読取りおよびＩＣチップへのデータの書込みが可能である。
通信用の電波としては、その周波数がたとえば３ＭＨｚ〜３０ＭＨｚ（好ましくは、１３．５６ＭＨｚ）の短波（ＨＦ）、あるいは３００ＭＨｚ〜３ＧＨｚ（好ましくは８６０〜９６０ＭＨｚ、さらに具体的には９５０〜９５６ＭＨｚ）の極超短波（ＵＨＦ）などを用いることができる。
ただし、ＨＦ帯の電波を用いる場合には、データ読取り書込み装置とＲＦＩＤラベルとの間の電磁誘導作用を利用しており、通信距離の上限は７０ｃｍ程度である。また、ＵＨＦ帯の電波を用いる場合には、データ読取り書込み装置とＲＦＩＤラベルとの間の電波の共振作用を利用しており、通信距離は１〜５ｍ程度であり、それぞれの場合において、アンテナの形状やＩＣチップの具体的構成を適正なものとする。
【０００３】
こうした構成のＲＦＩＤラベルは、その使用する電波の周波数によっても異なるが、貼り付けられた物品（商品や段ボール箱などの包装容器）あるいはその近傍に金属あるいは水があると、その交信特性が低下する結果、データの読書きに支障が生ずるという問題がある。とくに、周波数が高いＵＨＦ帯の電波を使用するＲＦＩＤラベルではその傾向が強いことが指摘されている。
【０００４】
【特許文献１】特開平６−２７４１０４号公報
【発明の開示】
【発明が解決しようとする課題】
【０００５】
本発明は以上のような諸問題にかんがみなされたもので、その交信特性を低下させないようにしたＲＦＩＤラベルおよびその貼付け方法を提供することを課題とする。
【０００６】
また本発明は、貼り付けられた物品などの材質により、交信電波が影響を受けにくくすることができるＲＦＩＤラベルおよびその貼付け方法を提供することを課題とする。
【０００７】
また本発明は、交信電波が金属や水などからの影響を受けにくくして、データの読取りおよび書込み精度を維持することができるＲＦＩＤラベルおよびその貼付け方法を提供することを課題とする。
【０００８】
また本発明は、ＲＦＩＤインレットの部分を物品への貼付け平面から立体的に浮かすことができるようにしたＲＦＩＤラベルおよびその貼付け方法を提供することを課題とする。
【０００９】
また本発明は、ＲＦＩＤインレットの部分を必要に応じて、物品への貼付け平面に対し同じく平面的に貼り付けるか、あるいは立体的に浮かすか、を適宜選択することができるようにしたＲＦＩＤラベルおよびその貼付け方法を提供することを課題とする。
【課題を解決するための手段】
【００１０】
すなわち本発明は、ＲＦＩＤインレットの部分を貼り付ける際に、互いに対向する端部の物品への相対的な貼付け位置を工夫することにより、ＲＦＩＤインレットの部分を貼付け平面から立体的に浮き立たせるようにすることに着目したもので、第一の発明は、アンテナおよびＩＣチップを有するＲＦＩＤインレットを備えたラベル本体を有するＲＦＩＤラベルであって、上記ラベル本体は、上記ＲＦＩＤインレットを保持するインレット保持部を有し、このインレット保持部の互いに対向する側端部に、第１の貼付け固定部と、この第１の貼付け固定部に対向する第２の貼付け固定部と、をその間に第１の間隔をあけて設け、これらの第１の貼付け固定部および上記第２の貼付け固定部を、上記第１の間隔より短い第２の間隔をあけて所定の物品に貼り付けて、上記インレット保持部を、この物品におけるその貼付け平面から離間して浮き立たせ可能としたことを特徴とするＲＦＩＤラベルである。
【００１１】
第二の発明は、第一の発明に印字表示部を設けたもので、アンテナおよびＩＣチップを有するＲＦＩＤインレットを備えたラベル本体を有するＲＦＩＤラベルであって、上記ラベル本体は、上記ＲＦＩＤインレットを保持するインレット保持部と、このインレット保持部に境界線を介して隣り合うとともに、所定の物品に貼り付け可能な印字表示部と、を有し、このインレット保持部は、この印字表示部と接続部を介して接続している第１の貼付け固定部と、この第１の貼付け固定部に対向する第２の貼付け固定部と、を有し、上記インレット保持部を上記印字表示部の貼付け平面から離間して浮き立たせ可能に、上記第１の貼付け固定部および上記第２の貼付け固定部を貼り付け可能としたことを特徴とするＲＦＩＤラベルである。
【００１２】
第三の発明は、第一の発明に関連するもので、アンテナおよびＩＣチップを有するＲＦＩＤインレットを備えたラベル本体を有するＲＦＩＤラベルの貼付け方法であって、上記ラベル本体は、上記ＲＦＩＤインレットを保持するインレット保持部を有し、このインレット保持部の互いに対向する側端部に、第１の貼付け固定部と、この第１の貼付け固定部に対向する第２の貼付け固定部と、をその間に第１の間隔をあけて設けてあり、これらの第１の貼付け固定部および上記第２の貼付け固定部を、上記第１の間隔より短い第２の間隔をあけて所定の物品に貼り付けるとともに、上記インレット保持部を、この物品におけるその貼付け平面から離間して浮き立たせることを特徴とするＲＦＩＤラベルの貼け方法である。
【００１３】
第四の発明は、第二の発明に関連するもので、アンテナおよびＩＣチップを有するＲＦＩＤインレットを備えたラベル本体を有するＲＦＩＤラベルの貼付け方法であって、上記ラベル本体は、上記ＲＦＩＤインレットを保持するインレット保持部と、このインレット保持部に境界線を介して隣り合うとともに、所定の物品に貼り付け可能な印字表示部と、を有し、このインレット保持部は、この印字表示部と接続部を介して接続している第１の貼付け固定部と、この第１の貼付け固定部に対向する第２の貼付け固定部と、を有しており、上記インレット保持部を上記印字表示部の貼付け平面から離間して浮き立たせ可能に、上記第１の貼付け固定部および上記第２の貼付け固定部を貼り付けることを特徴とするＲＦＩＤラベルの貼付け方法である。
【００１４】
上記インレット保持部は、これを曲面状に浮き立たせ可能とすることができる。
【００１５】
上記インレット保持部は、これを少なくともひとつの折曲げ部をもって断面折曲げ形状に浮き立たせ可能とすることができる。
【００１６】
上記第２の貼付け固定部は、上記印字表示部に点止め部を介して接続しているとともに、この点止め部を切り離すことにより、上記印字表示部からこれを自由端部とすることができる。
【００１７】
上記ラベル本体は、その裏面に剥離紙を仮着してあるとともに、上記第１の貼付け固定部および上記第２の貼付け固定部におけるこの剥離紙を取り除き可能としてあることができる。
【００１８】
上記ラベル本体は、その裏面に剥離紙を仮着してあるとともに、上記ラベル本体における上記印字表示部には、これをこの剥離紙から剥離可能に半抜き切込み線を形成し、上記インレット保持部および上記第２の貼付け固定部は、上記ラベル本体とともにこの剥離紙を切り取り可能な全抜き切込み線を形成してあることができる。
【発明の効果】
【００１９】
本発明によるＲＦＩＤラベルおよびその貼付け方法においては、一対の貼付け固定部の物品への貼付け位置を互いに近づけるようにしたので、ＲＦＩＤインレットを有するインレット保持部が曲面状あるいは折曲げ形状に立体的に曲げられた状態で貼付け平面から離間して浮くように取り付けられることになり、すなわち、悪影響を受けやすい金属や水から距離をおいて取り付けることが可能となって、データの交信精度を所定レベルに維持して、安定したデータの読取りおよび書込みを行うことができる。
【００２０】
とくに第一の発明によるＲＦＩＤラベルにおいては、インレット保持部の互いに対向する側端部に互いの間に第１の間隔をあけて設けた第１の貼付け固定部および第２の貼付け固定部を、第１の間隔より短い第２の間隔をあけて所定の物品に貼り付け可能としたので、インレット保持部を物品におけるその貼付け平面から離間して浮き立たせることができる。
【００２１】
とくに第二の発明によるＲＦＩＤラベルにおいては、ラベル本体が、インレット保持部および印字表示部を有し、インレット保持部は、印字表示部と接続部を介して接続している第１の貼付け固定部と、第１の貼付け固定部に対向する第２の貼付け固定部と、を有し、第１の貼付け固定部および第２の貼付け固定部を所定相対位置で貼り付けることにより、インレット保持部を印字表示部の貼付け平面から離間して浮き立たせることができる。
【００２２】
とくに第三の発明によるＲＦＩＤラベルの貼付け方法においては、第一の発明と同様に、インレット保持部の互いに対向する側端部に互いの間に第１の間隔をあけて設けた第１の貼付け固定部および第２の貼付け固定部を、第１の間隔より短い第２の間隔をあけて所定の物品に貼り付けるようにしたので、簡単な貼付け操作でインレット保持部を物品におけるその貼付け平面から離間して浮き立たせることができる。
【００２３】
とくに第四の発明によるＲＦＩＤラベルの貼付け方法においては、第二の発明と同様に、ラベル本体が、インレット保持部および印字表示部を有し、インレット保持部は、印字表示部と接続部を介して接続している第１の貼付け固定部と、第１の貼付け固定部に対向する第２の貼付け固定部と、を有し、第１の貼付け固定部および第２の貼付け固定部を所定相対位置で貼り付けることにより、インレット保持部を印字表示部の貼付け平面から離間して浮き立たせることができる。
【発明を実施するための最良の形態】
【００２４】
本発明は、互いに対向する一対の貼付け固定部の物品への相対的な貼付け位置をより近づけるように適宜選択することにより、簡単な作業で、ＲＦＩＤインレットの部分を金属や水などから遠ざける立体的な貼付け構造を可能としたＲＦＩＤラベルおよびその貼付け方法を実現した。
【実施例】
【００２５】
つぎに本発明の第１の実施例（第一の発明）によるＲＦＩＤラベル１およびその貼付け方法を図１ないし図６にもとづき説明する。
図１は、ＲＦＩＤラベル１の平面図、図２は、図１のＩＩ−ＩＩ線断面図、図３は、図１のＩＩＩ−ＩＩＩ線断面図、図４は、図１のＩＶ−ＩＶ線断面図である。
ＲＦＩＤラベル１は、剥離紙２と、剥離紙２に仮着したラベル本体３と、を有し、図１に示すように、その単葉ラベルのものを移送方向に連続状に形成して、所望のプリンター（図示せず）などに装填し、その表面に印字可能としている。もちろん、ＲＦＩＤラベル１を単葉のままとして供給することもできる。
【００２６】
ラベル本体３は、その裏面に粘着剤層４を有し、その中央部にインレット保持部５を有している。
インレット保持部５は、そのほぼ中央部にＲＦＩＤインレット６を保持しているもので、ＲＦＩＤインレット６は、アンテナ７およびＩＣチップ８を有する。インレット保持部５の表面には、必要に応じて所定の管理番号などを印字可能である。
インレット保持部５には、その互いに対向する側端部に、第１の貼付け固定部９と、この第１の貼付け固定部９に対向する第２の貼付け固定部１０と、を設けている。
インレット保持部５と、これら第１の貼付け固定部９および第２の貼付け固定部１０との間の境界部には、ラベル本体３から剥離紙２に貫通する全抜きのミシン目による折曲げ線１１をそれぞれ形成する。
なお、対向する折曲げ線１１の間、すなわち、第１の貼付け固定部９および第２の貼付け固定部１０の間の間隔を第１の間隔Ｄ１とする。
【００２７】
とくに図３に示すように、剥離紙２およびラベル本体３には剥離紙２およびラベル本体３まで貫通する全抜き切込み線１２を形成するとともに、全抜き切込み線１２の途中に点止め部１３（図示の例では二個）を形成して、ＲＦＩＤラベル１の脱落を防止し、かつ使用時にこの点止め部１３を切り離して、ＲＦＩＤラベル１の切り取りを可能としている。
【００２８】
とくに図４に示すように、剥離紙２およびラベル本体３には剥離紙２およびラベル本体３まで貫通する全抜き切込み線１２を形成するとともに、全抜き切込み線１２の途中に点止め部１３（図示の例では一個）を形成して、ＲＦＩＤラベル１の脱落を防止し、かつ使用時にこの点止め部１３を切り離して、ＲＦＩＤラベル１の切り取りを可能としている。
【００２９】
図５は、図２と同様の断面図であって、ＲＦＩＤラベル１の使用にあたって、第１の貼付け固定部９および第２の貼付け固定部１０の裏面における剥離紙２を取り除いて、この部分の粘着剤層４を露出させることにより、ＲＦＩＤラベル１を所定の物品Ｍに貼り付け可能とする。ただし、インレット保持部５の裏面における剥離紙２はこれを取り除かずに、仮着したままの状態とする。
【００３０】
図６は、ＲＦＩＤラベル１を物品Ｍに貼り付けた状態を示す断面図であり、第１の貼付け固定部９および第２の貼付け固定部１０を、第１の間隔Ｄ１（図２）より短い第２の間隔Ｄ２をあけて物品Ｍに貼り付けて、インレット保持部５を、物品Ｍにおけるその貼付け平面ＭＰから離間して立体的に浮き立たせ可能としている。
すなわち、図６に示すように、インレット保持部５が保持しているＲＦＩＤインレット６が貼付け平面ＭＰから曲面状（断面半円弧状）に浮き立って、貼付け平面ＭＰから必要な間隔Ｄ３を確保しているので、物品Ｍ近傍にあるいは物品Ｍに金属部品があったり、水が付着しているような場合であっても、必要な間隔Ｄ３だけ離れているので、リーダーライター（図示せず）との間のデータ交信性能に悪影響を及ぼすことがない。
なお、貼り付ける対象である物品Ｍが複数段に積み上げられるような場合には、その側面部に当該ＲＦＩＤラベル１を貼り付けることができる。
【００３１】
さらに、インレット保持部５の互いに対向する端部（第１の貼付け固定部９、第２の貼付け固定部１０）の剥離紙２を取り除き可能として、この端部を貼付け固定部（第１の貼付け固定部９、第２の貼付け固定部１０）として形成可能としたので、安価に形成可能であるとともに、第１の貼付け固定部９および第２の貼付け固定部１０の相対的な貼付け位置を調節することにより、インレット保持部５の湾曲率ないしは浮上げ形態を適宜調整することができる。
【００３２】
また、ＲＦＩＤラベル１からそのＲＦＩＤインレット６を取り除く必要がある場合には、ミシン目による折曲げ線１１の部分からインレット保持部５を切り離すことができるため、ＲＦＩＤインレット６の回収も容易である。
【００３３】
なお、インレット保持部５を浮かせる必要がないときには、第１の貼付け固定部９および第２の貼付け固定部１０をそのまま第１の間隔Ｄ１の間隔のままで物品Ｍに貼り付ければよいもので、必要に応じて平面的貼付け形態とするか、立体的貼付け形態とするかは任意である。
【００３４】
本発明において、インレット保持部５の立体的な折曲げ形状は任意である。
たとえば図７は、本発明（第一の発明）の第２の実施例によるＲＦＩＤラベル２０を、図６と同様に、物品Ｍに貼り付けた状態を示す断面図である。
このＲＦＩＤラベル２０の基本的な構成は、第１の実施例によるＲＦＩＤ１（図１）と同様であるが、インレット保持部５においてＲＦＩＤインレット６を避けた部分に折曲げ部２１を形成し、この折曲げ部２１においてインレット保持部５を断面三角形状に折り曲げた状態でインレット保持部５（ＲＦＩＤインレット６）を貼付け平面ＭＰから離間して立体的に浮き上がらせることができるようにしてある。
このＲＦＩＤラベル２０によれば、インレット保持部５のＲＦＩＤインレット６が直線形状（平面形状）のままで貼付け平面ＭＰから浮き立たせることが可能であり、交信性能をより適正に維持することができる。
【００３５】
図８は、本発明（第一の発明）の第３の実施例によるＲＦＩＤラベル３０を、図６と同様に、物品Ｍに貼り付けた状態を示す断面図である。
このＲＦＩＤラベル３０の基本的な構成は、第１の実施例によるＲＦＩＤ１（図１）と同様であるが、インレット保持部５においてＲＦＩＤインレット６を避けた部分に一対の折曲げ部２１を形成し、この折曲げ部２１においてインレット保持部５を断面矩形状に折り曲げた状態でインレット保持部５（ＲＦＩＤインレット６）を貼付け平面ＭＰから離間して立体的に浮き上がらせることができる。
このＲＦＩＤラベル３０によれば、インレット保持部５のＲＦＩＤインレット６が直線形状（平面形状）のままで貼付け平面ＭＰから均等な距離をもって浮き立たせることが可能であり、交信性能をさらにより適正に維持することができる。
【００３６】
つぎに、本発明の第４の実施例（第二の発明）によるＲＦＩＤラベル４０およびその貼付け方法を図９ないし図１５にもとづき説明する。
図９は、ＲＦＩＤラベル４０の平面図、図１０は、図９のＸ−Ｘ線断面図、図１１は、図９のＸＩ−ＸＩ線断面図、図１２は、図９のＸＩＩ−ＸＩＩ線断面図、図１３は、図９のＸＩＩＩ−ＸＩＩＩ線断面図である。
ＲＦＩＤラベル４０は、ＲＦＩＤラベル１（図１）と同様に、剥離紙２およびラベル本体３を有するとともに、ラベル本体３は、ＲＦＩＤラベル１におけるインレット保持部５に相当するインレット保持部４１と、印字表示部４２と、を有する。
【００３７】
インレット保持部４１は、ＲＦＩＤインレット６を保持しており、インレット保持部５と同様に、第１の貼付け固定部４３と、第１の貼付け固定部４３に対向する第２の貼付け固定部４４と、を有する。
第１の貼付け固定部４３は、印字表示部４２の図中左下に形成した接続部４５を介して印字表示部４２に一体的に接続している。
第２の貼付け固定部４４は、点止め部１３を介して接続しているとともに、この点止め部１３を切り離すことにより、印字表示部からこれを自由端部とすることができるようになっている。
すなわち図９に示すように、インレット保持部４１と印字表示部４２との境界線４６には、上記接続部４５を除いて、剥離紙２およびラベル本体３を貫通して全抜き切込み線１２を形成するとともに、点止め部１３（図示の例では二個）により全体から脱落することを防止している。
【００３８】
図１１に示すように、ＲＦＩＤラベル４０のラベル本体３のみに半抜き切込み線４７を形成して、印字表示部４２を剥離紙２から剥離可能とする。
【００３９】
図１２および図１３に示すように、インレット保持部４１、第１の貼付け固定部４１および第２の貼付け固定部４４には、ラベル本体３とともに剥離紙２を切り取り可能な全抜き切込み線１２を形成してある。
【００４０】
印字表示部４２は、上述のように、インレット保持部４１に境界線４６を介して隣り合うとともに、任意のプリンターなどにより、その表面に所定の情報ないし管理番号あるいはバーコードや二次元コードなどを印字した上で、所定の物品Ｍに貼り付け可能である。
【００４１】
図１４は、ＲＦＩＤラベル４０を単葉として切り離した状態の平面図であって、ＲＦＩＤラベル４０を平面的に貼り付ける場合には、インレット保持部４１、印字表示部４２、第１の貼付け固定部４３および第２の貼付け固定部４４のすべての剥離紙２を取り除いて、そのまま貼り付けることができる。
【００４２】
図１５は、ＲＦＩＤラベル４０を立体的に貼り付けた状態を示す斜視図であって、図示のように、そのインレット保持部４１の部分のみの剥離紙２はこれを剥離せずに、他の印字表示部４２、第１の貼付け固定部４３および第２の貼付け固定部４４の部分の剥離紙２を取り除いて、第１の貼付け固定部４３は印字表示部４２と一体的に物品Ｍの貼付け平面ＭＰに平面的にこれを貼り付けるとともに、第２の貼付固定部４４を第１の貼付固定部４３に近づけるように貼り付けて、第１の貼付け固定部４３と第２の貼付け固定部４４との間の間隔を第１の間隔Ｄ１（図１４）より小さな第２の間隔Ｄ２として、インレット保持部４１の部分を曲面状に折り曲げて離間かつ立体的に浮き立たせる状態で貼り付ければよい。
【００４３】
なお、この実施例においても、ＲＦＩＤラベル１（図１）の場合と同様に、さらに、図７あるいは図８に示したようなＲＦＩＤラベル２０、３０と同様にして、インレット保持部４１の折曲げ形状を採用することもできる。
【００４４】
かくして、インレット保持部４１のＲＦＩＤインレット６の部分を物品Ｍにおける金属や水などから遠ざけることができ、リーダーライターとの間の交信性能を所定レベルに維持することができる。
【００４５】
さらに本発明においては、粘着剤層４の裏面部に剥離紙２を持たずに、粘着剤層４をラベル本体３の裏面に露出したままで、ラベル本体３の表面に剥離剤層を有する、いわゆる剥離紙なしラベル（図示せず）の形態としても構成することができる。
【図面の簡単な説明】
【００４６】
【図１】本発明の第１の実施例（第一の発明）によるＲＦＩＤラベル１の平面図である。
【図２】同、図１のＩＩ−ＩＩ線断面図である。
【図３】同、図１のＩＩＩ−ＩＩＩ線断面図である。
【図４】同、図１のＩＶ−ＩＶ線断面図である。
【図５】同、図２と同様の断面図であって、第１の貼付け固定部９および第２の貼付け固定部１０の裏面における剥離紙２を取り除いた状態を示す。
【図６】同、ＲＦＩＤラベル１を物品Ｍに貼り付けた状態を示す断面図である。
【図７】本発明（第一の発明）の第２の実施例によるＲＦＩＤラベル２０を物品Ｍに貼り付けた状態を示す断面図である。
【図８】本発明（第一の発明）の第３の実施例によるＲＦＩＤラベル３０を物品Ｍに貼り付けた状態を示す断面図である。
【図９】同、本発明の第４の実施例（第二の発明）によるＲＦＩＤラベル４０の平面図である。
【図１０】同、図９のＸ−Ｘ線断面図である。
【図１１】同、図９のＸＩ−ＸＩ線断面図である。
【図１２】同、図９のＸＩＩ−ＸＩＩ線断面図である。
【図１３】同、図９のＸＩＩＩ−ＸＩＩＩ線断面図である。
【図１４】同、ＲＦＩＤラベル４０を単葉として切り離した状態の平面図である。
【図１５】同、ＲＦＩＤラベル４０を立体的に貼り付けた状態を示す斜視図である。
【符号の説明】
【００４７】
１  ＲＦＩＤラベル（第一の発明、第１の実施例、図１）
２  剥離紙
３  ラベル本体
４  粘着剤層
５  インレット保持部
６  ＲＦＩＤインレット
７  アンテナ
８  ＩＣチップ
９  第１の貼付け固定部
１０  第２の貼付け固定部
１１  折曲げ線
１２  全抜き切込み線
１３  点止め部
２０  ＲＦＩＤラベル（第一の発明、第２の実施例、図７）
２１  折曲げ部（図７、図８）
３０  ＲＦＩＤラベル（第一の発明、第３の実施例、図８）
４０  ＲＦＩＤラベル（第二の発明、第４の実施例、図９）
４１  インレット保持部
４２  印字表示部
４３  第１の貼付け固定部
４４  第２の貼付け固定部
４５  第１の貼付け固定部４３と印字表示部４２との間の接続部
４６  インレット保持部４１と印字表示部４２との間の境界線
４７  半抜き切込み線
Ｄ１  第１の間隔（図１、図２、図５、図１４）
Ｄ２  第２の間隔（Ｄ２＜Ｄ１、図６、図１５）
Ｄ３  必要な間隔（図６）
Ｍ    物品
ＭＰ  物品Ｍの貼付け平面
【図１】
2007264868.tif 000003
【図２】
2007264868.tif 000004
【図３】
2007264868.tif 000005
【図４】
2007264868.tif 000006
【図５】
2007264868.tif 000007
【図６】
2007264868.tif 000008
【図７】
2007264868.tif 000009
【図８】
2007264868.tif 000010
【図９】
2007264868.tif 000011
【図１０】
2007264868.tif 000012
【図１１】
2007264868.tif 000013
【図１２】
2007264868.tif 000014
【図１３】
2007264868.tif 000015
【図１４】
2007264868.tif 000016
【図１５】
2007264868.tif 000017